(57)【要約】【課題】特別な機能を有しないテレビジョン受像機及びテレビ放送番組関連情報を提供するコンピュータと放送中において連携するできるようにする。【解決手段】ユーザによるテレビ放送チャネル選択変更入力に応じて、テレビ受像機5に対してテレビ放送チャネルの選局に関する無線信号を送信する手段331/31と、テレビ放送チャネル選択変更入力に応じて、ユーザ識別情報と選択変更入力されたテレビ放送チャネルの情報とを含む番組関連情報取得要求を、所定のサーバに対して送信する手段331/332/35と、所定のサーバから番組関連情報を受信した場合、当該番組関連情報を表示部に表示する手段332とを有する。このようにすれば、ユーザによるテレビ放送チャネル選択変更入力に応じて、テレビ受像機にチャネル選局に関する無線信号を送信すると共に、所定のサーバから番組関連情報を取得するできるようになる。【選択図】図２
2006135957.tif 000002
【特許請求の範囲】
【請求項１】
携帯端末であって、
ユーザによるテレビ放送チャネル選択又は変更入力に応じて、前記携帯端末に対する情報送信機能を有しないテレビジョン受像機に対して前記テレビ放送チャネルの選局に関する無線信号を送信する手段と、
前記テレビ放送チャネル選択又は変更入力に応じて、ユーザ識別情報と選択又は変更入力された前記テレビ放送チャネルの情報とを含む番組関連情報取得要求を、所定のサーバに対して送信する手段と、
次のテレビ放送チャネル変更入力までの間、定期的に又は不定期に、前記ユーザ識別情報と前記選択又は変更入力された前記テレビ放送チャネルの情報とを含む番組関連情報取得要求を、前記所定のサーバに対して送信する手段と、
前記所定のサーバから番組関連情報を受信した場合、当該番組関連情報を表示装置に表示する手段と
を有する携帯端末。
【発明の詳細な説明】
【技術分野】
【０００１】
本発明は、例えば携帯電話機等の携帯端末とテレビジョン受像機及び携帯端末とテレビ放送番組関連情報を提供するコンピュータとの連携技術に関する。
【背景技術】
【０００２】
従来から、ＩｒＤＡ（Infrared Data Association）対応のＰＤＡ（Personal Digital Assistant）やノート型パーソナルコンピュータ（以下ＰＣと呼ぶ）にテレビジョン受像機等のリモート・コントロール機能を持たせるためのリモコン・プログラムが存在していた。ＰＤＡやノート型ＰＣ自体は、インターネットに接続する機能は有しているが、リモコン・プログラムはテレビジョン受像機等のリモート・コントロール機能しか提供しておらず、インターネットに接続する機能との連携及びインターネットに接続されたサーバとの連携は何ら考慮されていない。
【０００３】
また特開２００１−１０３４０６号公報には、ユーザの視聴番組履歴情報を蓄積するデータ蓄積部及び番組予約登録部を有するＴＶ放送受信機と、データ蓄積部より転送される視聴番組履歴情報を受信する受送信部、受信した番組情報を表示する液晶表示部及び番組予約指示部を有する携帯端末電話機とを備え、液晶表示部に表示された番組情報に基づきユーザが希望する番組を番組予約指示部によりＴＶ放送受信機の番組予約登録部に放送チャンネル、放送開始時刻及び終了時刻を登録するＴＶ番組予約システムが開示されている。この公報では、携帯端末電話機とＴＶ放送受信機との連携はなされているが、インターネット等のコンピュータ・ネットワークに接続されているサーバとの連携は何ら開示されていない。また、視聴番組履歴情報を格納するデータ蓄積部及び番組予約登録部といった特別の装備を有するＴＶ放送受信機を前提としている。
【０００４】
さらに特開２００１−４５４４７号公報には、デジタル放送を行い放送番組に関連したサービスを提供する放送局と、デジタル放送を受信する受信機と、各視聴者に携帯され得るもので電話通信機能と受信機のリモコン操作機能とを併せ持つ操作機等で構成されるデジタル放送システムが開示されている。このデジタル放送システムにおいて、受信機は再生中番組を特定する番組識別情報を赤外線により周辺の各操作機に伝達し、各操作機は伝達された情報に自機の電話番号を付加して放送局等に電話送信し、放送局等は操作機から送られた番組識別情報と電話機とで視聴された番組とサービス提供先とを知り、番組のデスクランブル用の情報を電話送信することや懸賞付き番組の視聴者への当選通知を電話で行う等の各種サービスを提供する。この公報では、電話通信機能を有する操作機とデジタル放送を受信する受信機と放送局との連携がなされているが、再生中番組を特定する番組識別情報を操作機に送信する機能といった特別の装備を有する受信機を前提としている。また再生中番組を特定する番組識別情報を受信機が送信できるようにするためには、放送局が放送する内容も特別なものにする必要があることを意味する。
【０００５】
さらに特開２００１−１４５１４０号公報には、録画予約用サイトにより携帯電話に供給された番組ガイド情報が簡易ＥＰＧ（電子番組表）として表示部に出力され、携帯電話の利用者が放送される番組を確認し、矢印キー、機能キーを用いて番組を指定すると、録画予約用サイトからその番組のＧコードが送られてくるのでこれをページャに送信し、被呼されたページャは送信されてくるＧコードに従ってビデオテープレコーダに記録予約するシステムが開示されている。この公報では、携帯電話と録画予約用サイトとページャ又はビデオテープレコーダとの連携が示されているが、携帯電話はページャに対してＧコードを送信するということで携帯電話の利用者がビデオテープレコーダから離れた位置にいることが前提となっている。そのため、まず携帯電話から録画予約用サイトにアクセスして番組ガイド情報を取得してから、ページャにＧコードを送付する手順となっている。さらに、録画予約を目的としているため、録画予約サイトから送信される番組ガイド情報も放送中の番組に連動する形態の内容とはなりえない。
【０００６】
なお、現在双方向テレビというシステムも実用化されており、特別のテレビジョン受像機にて番組に関連する情報をオンラインで取得したり、情報を送信したりできるようになっているが、テレビジョン受像機そのものに番組関連情報を表示できるため、そのリモート・コントロール端末に番組関連情報を表示する必然性は無い。
【特許文献１】特開２００１−１０３４０６号公報
【特許文献２】特開２００１−４５４４７号公報
【特許文献３】特開２００１−１４５１４０号公報
【発明の開示】
【発明が解決しようとする課題】
【０００７】
以上のように従来技術には、特別な機能を有しないテレビジョン受像機と携帯電話機等の携帯端末、そして携帯端末とテレビ放送番組関連情報を提供するサーバ等のコンピュータとを放送中において連携させる技術は何ら開示されていない。
【０００８】
従って、本発明の目的は、特別な機能を有しないテレビジョン受像機及びテレビ放送番組関連情報を提供するコンピュータと放送中において連携することができる携帯端末及びそのための技術を提供することである。
【０００９】
また、テレビジョン受像機と放送中に連携して動作する携帯端末にテレビ放送番組関連情報を提供するためのコンピュータ及びそのための技術を提供することも目的である。
【課題を解決するための手段】
【００１０】
本発明の第１の態様に係る携帯端末は、ユーザによるテレビ放送チャネル選択又は変更入力に応じて、携帯端末に対する情報送信機能を有しないテレビジョン受像機に対して前記テレビ放送チャネルの選局に関する無線信号を送信する手段と、テレビ放送チャネル選択又は変更入力に応じて、ユーザ識別情報と選択又は変更入力されたテレビ放送チャネルの情報とを含む番組関連情報取得要求を、所定のサーバに対して送信する手段と、次のテレビ放送チャネル変更入力までの間、定期的に又は不定期に、ユーザ識別情報と選択又は変更入力されたテレビ放送チャネルの情報とを含む番組関連情報取得要求を、所定のサーバに対して送信する手段と、所定のサーバから番組関連情報を受信した場合、当該番組関連情報を表示装置に表示する手段とを有する。
【００１１】
本発明の第２の態様に係る携帯端末は、ユーザによるテレビ放送チャネル選択又は変更入力に応じて、テレビジョン受像機に対して前記テレビ放送チャネルの選局に関する無線信号（例えば赤外線による無線信号、又は近距離無線通信規格であるBluetooth（詳細はhttp://www.bluetooth.comを参照のこと）に従った無線信号等）を送信する手段と、テレビ放送チャネル選択又は変更入力に応じて、ユーザ識別情報と選択又は変更入力されたテレビ放送チャネルの情報とを含む番組関連情報取得要求を、所定のサーバに対して送信する手段と、所定のサーバから番組関連情報を受信した場合、当該番組関連情報を表示装置に表示する手段とを有する。
【００１２】
また、本発明の第３の態様に係る携帯端末は、ユーザによるテレビ放送チャネル選択又は変更入力に応じて、テレビジョン受像機に対して前記テレビ放送チャネルの選局に関する無線信号を送信する手段と、テレビ放送チャネル選択又は変更入力に応じて、現在位置に関する情報（例えば正確な位置だけでなく地域の情報も含む）と選択又は変更入力されたテレビ放送チャネルの情報とを含む番組関連情報取得要求を、所定のサーバに対して送信する手段と、所定のサーバから番組関連情報を受信した場合、当該番組関連情報を表示装置に表示する手段とを有する。
【００１３】
このように本発明の第２及び第３の形態に係る携帯端末は、ユーザによるテレビ放送チャネル選択又は変更入力に応じて、テレビジョン受像機にチャネル選局に関する無線信号を送信すると共に、所定のサーバに対して番組関連情報を取得するように動作する。これにて、ユーザは携帯端末で例えばチャネルのボタンを押すだけで、特別な機能を有しないテレビジョン受像機のチューナを制御すると共に、所定のサーバから選局チャネルで放送中の番組に関連する情報を受信し且つ表示させて、番組に関連する付加的な情報を得ることができるようになる。この番組に関連する付加的な情報により、さらに番組関連のショッピング、データのダウンロード、商品広告、投票やクイズなどの番組連携コンテンツの利用を行うことができるようになる。
【００１４】
なお、第２の態様はユーザ登録を行うことを前提として、ユーザ登録に応じた処理を所定のサーバにおいて実施することを想定しており、第３の態様はユーザ登録が無いことを前提としており、選択チャネルの意味を解釈するために現在位置に関する情報を必要とするものである。
【００１５】
また、本発明の第２及び第３の態様において、ユーザによるテレビジョン受像機への電源投入指示に応じて、テレビジョン受像機に対して電源投入指示に関する無線信号を送信する手段と、電源投入指示に応じて、テレビ放送チャネル選択入力を促す表示を行う手段とをさらに有するような構成も可能である。
【００１６】
例えば電源投入指示の場合、テレビジョン受像機では電源断の際のチャネルがチューナに設定されているが、携帯端末側で保持しているチャネル情報とは一致しない可能性がある。従って、電源投入指示の場合には、テレビ放送チャネル選択入力をユーザに促すことにより、正確なチャネルの番組関連情報を取得できるようになる。
【００１７】
また、本発明の第２及び第３の態様において、ユーザによるテレビジョン受像機の電源断指示に応じて、テレビジョン受像機に対して電源断指示に関する無線信号を送信する手段と、電源断指示に応じて、ユーザ識別情報と電源断の情報とを、所定のサーバに送信する手段とをさらに有するような構成であってもよい。所定のサーバにおいて、何時まで視聴していたのかを記録するのに用いることができる。また、所定のサーバにおいて、さらに視聴したテレビ放送番組の予告編や関連商品情報などを送付するなど、様々な情報を提供できるようになる。
【００１８】
なお、本発明の第２の態様において、上で述べた番組関連情報取得要求に、現在位置に関する情報を含むような構成とすることも可能である。例えば自宅にいない場合であっても、現在位置に関する情報に基づき所定のサーバはチャネルの意味を解釈できるようになる。
【００１９】
本発明の第４の態様に係るプログラムは、ユーザによるテレビ放送チャネル選択又は変更入力に応じて、テレビジョン受像機に対するテレビ放送チャネルの選局に関する無線信号を無線信号送信部に送信させるステップと、テレビ放送チャネル選択又は変更入力に応じて、ユーザ識別情報と選択又は変更入力されたテレビ放送チャネルの情報とを含むリクエストを、ブラウザに所定のサーバへ送信させるステップとを処理装置（例えばＣＰＵ（Central Processing Unit））に実行させるためのプログラムである。このようなプログラムを赤外線等の無線信号送信部及びブラウザを有する携帯端末等の処理装置に実行させれば、本発明の第２の形態にかかる携帯端末等となる。
【００２０】
また、本発明の第５の態様に係るプログラムは、ユーザによるテレビ放送チャネル選択又は変更入力に応じて、テレビジョン受像機に対するテレビ放送チャネルの選局に関する無線信号を無線信号送信部に送信させるステップと、テレビ放送チャネル選択又は変更入力に応じて、現在位置に関する情報と選択又は変更入力されたテレビ放送チャネルの情報とを含むリクエストを、ブラウザに所定のサーバへ送信させるステップとを処理装置に実行させるためのプログラムである。このようなプログラムを赤外線等の無線信号送信部及びブラウザを有する携帯端末等の処理装置に実行させれば、本発明の第３の態様にかかる携帯端末等となる。
【００２１】
本発明の第６の態様に係る番組関連情報提供方法は、ユーザ端末からユーザ識別情報とテレビ放送チャネルの情報とを含む番組関連情報取得要求を受信した場合には、ユーザ識別情報を用いて予め登録された放送エリアの情報を記憶装置から取得するステップと、取得された放送エリアの情報を用いて、テレビ放送チャネルにおいて放送中の番組に関連する情報を記憶装置から取得するステップと、テレビ放送チャネルにおいて放送中の番組に関連する情報を、ユーザ端末に送信するステップとを含む。
【００２２】
ユーザ端末を操作しているユーザは、テレビ放送チャネルにおいて放送中の番組に関連する情報を取得でき、本番組関連情報提供方法を実行するコンピュータの運営者はユーザの視聴状況を知ることができると共に広告等を含む番組関連情報をユーザに提供して、ユーザの積極的なレスポンスを得ることができるようになる。なお、ユーザの属性に従った番組関連情報を抽出して送出するようにしてもよい。
【００２３】
なお、少なくともユーザ識別情報とテレビ放送チャネルの情報と時刻の情報とをログ記憶装置に登録するステップをさらに含むような構成も可能である。例えば、ログ記憶装置に格納された情報を用いて視聴率計算のための処理を実施するステップをさらに含むようにすれば、視聴率計算に役立てることができる。また、各種広告宣伝に役立てることも可能となる。
【００２４】
また、ログ記憶装置に格納された情報を用いて、特定のユーザのテレビ放送番組の視聴傾向を解析するステップと、解析されたテレビ放送番組の視聴傾向に基づき、特定のユーザの視聴確率の高いテレビ放送番組に関する通知を当該特定のユーザ宛に送信するステップとをさらに含むような構成も可能である。例えば、番組開始時刻を通知したり、今回の見所などを通知して、番組の視聴を促すことができる。この通知にユーザの属性に合った広告を含めることも可能である。
【００２５】
本発明の第７の態様に係る番組関連情報提供方法は、ユーザ端末から当該ユーザ端末の現在位置の情報とテレビ放送チャネルの情報とを含む番組関連情報取得要求を受信した場合には、ユーザ端末の現在位置の情報を用いて、テレビ放送チャネルにおいて放送中の番組に関連する情報を記憶装置から取得するステップと、テレビ放送チャネルにおいて放送中の番組に関連する情報を、ユーザ端末に送信するステップとを含む。
【００２６】
ユーザ識別情報が登録されていない場合であっても、現在位置の情報を得ることができれば、視聴地域に合致する番組関連情報をユーザに提供することができるようになる。
【００２７】
また、上で述べた方法をコンピュータに実行させるためのプログラムを作成することも可能であって、当該プログラムは、例えばフレキシブル・ディスク、ＣＤ−ＲＯＭ、光磁気ディスク、半導体メモリ、ハードディスク等の記憶媒体又は記憶装置に格納される。なお、ネットワークを介して配布される場合もある。また、処理途中のデータについては、コンピュータのメモリに一時保管される。
【発明の効果】
【００２８】
以上のように、特別な機能を有しないテレビジョン受像機及びテレビ放送番組関連情報を提供するコンピュータと放送中において連携することができる携帯端末及びそのための技術を提供することができた。
【００２９】
また、テレビジョン受像機と放送中に連携して動作する携帯端末にテレビ放送番組関連情報を提供するためのコンピュータ及びそのための技術を提供することもできた。
【発明を実施するための最良の形態】
【００３０】
本発明の一実施の形態に係るシステム概要を図１に示す。ユーザが操作する携帯電話機３は、赤外線又はBluetoothのような近距離無線通信にてテレビジョン受像機５に対して所定の動作を指示することができるようになっている。テレビジョン受像機５は、電波等による放送を受信し、表示部に放送番組の映像を表示するものである。なお、本実施の形態を実施する上で、テレビジョン受像機５に特別な機能は不要である。また携帯電話機３は、無線基地局９と無線にて通信することができるようになっている。無線基地局９は、携帯電話ネットワーク１１を介してインターネット１に接続されている。携帯電話機３も、無線基地局９、携帯電話ネットワーク１１を介してインターネット１に接続できるようになっている。
【００３１】
インターネット１には、本実施の形態において主要な処理を実施するメイン・サーバ７が接続されている。その他、本実施の形態に関連し、インターネット１に接続しているサーバとしては、例えば、メイン・サーバ７に蓄積された情報を基に広告を配信する広告サーバ１３と、メイン・サーバ７により携帯電話機３に提供される番組関連情報に含まれるダウンロード情報に基づき携帯電話機３から要求があった場合にファイルなどを要求元の携帯電話機３に送信するダウンロード・サーバ１５と、メイン・サーバ７により携帯電話機３に提供される番組関連情報に含まれるショッピング情報に基づき携帯電話機３から要求があった場合にショッピングに関連する処理を実施するショッピング・サーバ１７と、例えばテレビ放送番組がクイズ番組の場合に視聴者にも回答を求めたり、討論番組でアンケートや投票を促すといった場合に番組と連携した処理を実施する番組連携処理サーバ１９とがある。
【００３２】
メイン・サーバ７は、本実施の形態では予め会員登録したユーザに対するサービスを前提とするため登録した会員の情報を蓄積する会員ＤＢ７１と、ユーザに提供すべきテレビ放送番組に関連する情報を蓄積するＴＶ番組関連情報格納部７３と、会員であるユーザが操作する携帯電話機３のアクセスログを蓄積するためのアクセスログＤＢ７５とを管理する。なお、メイン・サーバ７の処理については、以下フローチャートを用いて説明する。
【００３３】
次に図２を用いて本実施の形態に係る携帯電話機３の機能ブロック図を示す。携帯電話機３には、赤外線やBluetooth等の、テレビジョン受像機５が受信及び処理可能な近距離無線信号を少なくとも送信するための第１無線通信部３１と、無線基地局９と通信を行うための第２無線通信部３５と、携帯電話機３に設けられている複数のキー（ボタン）を含む入力部３７と、これらの制御等の処理を行うソフトウエア３３とが設けられている。ソフトウエア３３には、図示しないＯＳ（Operating System）も含まれるが、本実施の形態に関係するのは、本実施の形態における処理を司るコントローラ３３１と、ウェブ（Ｗｅｂ）サーバにアクセスし、ＨＴＭＬ（Hyper Text Markup Language）、コンパクトＨＴＭＬやＷＭＬ（Wireless Markup Language）、ＨＤＭＬ（Handheld Device Markup Language）、ＸＨＴＭＬ（eXtensible HTML）、ＸＨＴＭＬ Basic等の記述言語で記載されたデータを解釈して表示を行うブラウザ３３２とが含まれる。コントローラ３３１は、入力部３７からのユーザの入力に応じて、ブラウザ３３２に対して所定のドメイン名のサーバにアクセスするように指示を出したり、例えばテレビジョン受信機５に対してチャネル変更又は選択に関する無線信号を第１無線通信部３１が送信するようにコマンドを出力するといった処理を実施する。ブラウザ３３２は、例えばＯＳを介して第２無線通信部３５に必要な情報を、無線基地局９、携帯電話ネットワーク１１及びインターネット１を介して所定のサーバへ送信させる。テレビジョン受像機５は、第１無線通信部３１から無線信号に応じて指示された動作を実施する。
【００３４】
コントローラ３３１は、例えば携帯電話機３のＲＯＭ（Read Only Memory）等に記録されており、ユーザによりテレビジョン受像機５のリモート・コントロール・モードが指定されると読み出されて、実行される。また、例えばメイン・サーバ７が登録ユーザに対してＪａｖａ（Sun Microsystems社の登録商標）アプレットとして送信し、携帯電話機３は当該Ｊａｖａアプレットを受信し、メモリ上に保持しておく場合もある。なお、当該Ｊａｖａアプレットは、携帯電話機３に実装されたＪａｖａＶＭ（Virtual Machine）上で実行されるが、ＪａｖａＶＭ等において第１無線通信部３１へのアクセスが許可されるようになっている必要がある。第１無線通信部３１は、携帯電話機３に当初から組み込まれているような形態だけでなく、コネクタにより携帯電話機３に接続される形態であってもよい。
【００３５】
次に、携帯電話機３及びメイン・サーバ７の処理について図３乃至図９を用いて説明する。図３は携帯電話機３における処理を示している。最初に、例えばＯＳが、ユーザによる所定のキー入力に応じて、コントローラ３３１を起動する（ステップＳ１）。すなわち、テレビジョン受像機５のリモート・コントロール・モードに設定される。コントローラ３３１は、キー入力待ち状態になり、もしキー入力を受け付けると、チャネル選択又は変更の指示が入力されたか判断する（ステップＳ３）。例えば、チャネル番号に対応するボタンが押された場合や、チャネル番号を上又は下に変更する入力が行われた場合に、チャネル選択又は変更の指示が入力されたものと判断する。もし、チャネル選択又は変更の指示が入力されたと判断された場合には、第１無線通信部３１についての処理と、ブラウザ３３２及び第２無線通信部３５についての処理とが実施される。
【００３６】
第１無線通信部３１についての処理としては、チャネル選択又は変更入力に応じて、チャネル変更のためのＴＶ制御コマンドを生成し、第１無線通信部３１に出力する（ステップＳ５）。例えば６チャネルにチャネル変更を行うことを命じるようなＴＶ制御コマンドを生成する。そして、第１無線通信部３１は、チャネル変更のためのＴＶ制御コマンドに従って、無線信号をテレビジョン受像機５に送信する（ステップＳ７）。これにより、テレビジョン受像機５は、チューナの設定を切り替えて、ユーザ所望のチャネルの映像を表示するようになる。
【００３７】
一方、コントローラ３３１はチャネル選択又は変更入力に応じた番組関連情報取得処理を実施する（ステップＳ９）。この処理については図４を用いて後に詳しく説明する。ステップＳ７及びステップＳ９の後に、処理終了が指示されたか判断する（ステップＳ２３）。もし、処理終了が指示された場合には処理を終了する。一方、処理の終了が指示されない場合にはステップＳ３に戻る。
【００３８】
もし、ステップＳ３においてチャネル選択又は変更の指示が入力されていないと判断された場合には、テレビジョン受像機５の電源投入が指示されたのか否かを判断する（ステップＳ１１）。もし、電源投入が指示された場合には、コントローラ３３１は、携帯電話機３の表示部にチャネル番号の入力要求表示を行う（ステップＳ１３）。これは、テレビジョン受像機５の電源投入時には、電源断時におけるチャネルの映像が表示されることになるが、そのチャネル番号が何番であるかは不明な場合もあるからである。すなわち、携帯電話機３の操作履歴等に残っているチャネル番号とは必ずしも一致しないからである。また、コントローラ３３１は、このテレビジョン受像機５の電源投入を行うためのＴＶ制御コマンドを生成し、第１無線通信部３１に出力する（ステップＳ１９）。第１無線通信部３１は、電源投入のためのＴＶ制御コマンドに従って、無線信号をテレビジョン受像機５に送信する（ステップＳ２１）。そしてステップＳ２３に移行する。これにより、テレビジョン受像機５は、電源投入が行われ、電源断時のチャネルの映像を表示するようになる。
【００３９】
もし、ステップＳ１１においてテレビジョン受像機５の電源投入が指示されなかったと判断された場合には、テレビジョン受像機５の電源オフの指示がなされたのか否かを判断する（ステップＳ１５）。もし、電源オフが指示された場合には、コントローラ３３１は、テレビジョン受像機５の電源オフ指示の入力に応じた関連情報取得処理を実施する（ステップＳ１７）。この処理については後に詳しく説明する。そして、コントローラ３３１は、このテレビジョン受像機５の電源オフを行うためのＴＶ制御コマンドを生成し、第１無線通信部３１に出力する（ステップＳ１９）。第１無線通信部３１は、電源オフのためのＴＶ制御コマンドに従って、無線信号をテレビジョン受像機５に送信する（ステップＳ２１）。そしてステップＳ２３に移行する。これにより、テレビジョン受像機５の電源はオフにされる。
【００４０】
一方、ステップＳ１５において、テレビジョン受像機５の電源オフが指示されなかったと判断された場合、すなわち音量調整やビデオ入力へ切り替えといった指示の入力である場合には、ステップＳ１９に移行する。すなわち、コントローラ３３１は、指示入力に従ったＴＶ制御コマンドを生成し、第１無線通信部３１に出力する（ステップＳ１９）。第１無線通信部３１は、指示入力のためのＴＶ制御コマンドに従って、無線信号をテレビジョン受像機５に送信する（ステップＳ２１）。そしてステップＳ２３に移行する。これにより、テレビジョン受像機５は、ユーザの指示に従って動作する。
【００４１】
このように、ユーザの一つの指示入力に応じてメイン・サーバ７等から情報を取得する処理と、テレビジョン受像機５に無線信号を送信する処理の両方が必要に応じて行われる。
【００４２】
次に、図３のステップＳ９の詳細についてメイン・サーバ７との関連も含めて図４乃至図６を用いて説明する。携帯電話機３のコントローラ３３１は、チャネル選択又は変更入力に応じて、会員ＩＤ及びチャネル番号を含むリクエストを所定のドメイン名のサーバに出力するようにブラウザ３３２に指示を出力する（ステップＳ３１）。なお、ブラウザ３３２が起動していない場合には、起動してから指示を出力する。ブラウザ３３２は、コントローラ３３１から指示を受信すると、会員ＩＤ及びチャネル番号を含むリクエストを所定のドメイン名のサーバに送信する（ステップＳ３３）。所定のサーバは、本実施の形態においてはメイン・サーバ７である。リクエストは、例えばＨＴＴＰ（Hyper Text Transfer Protocol）のＧＥＴリクエストであって、例えば会員ＩＤ及びチャネル番号で特定されるＵＲＬ（Uniform Resource Locator）のファイル等を取得する（ＣＧＩ（Common Gateway Interface）の出力を含む）ようなリクエストである。なお、ＧＥＴリクエストに別途会員ＩＤ及びチャネル番号を含めるような構成であってもよい。なお、ブラウザ３３２がメイン・サーバ７に情報を送信する場合には、ＯＳを介して第２無線通信機３５を制御し、無線基地局９、携帯電話ネットワーク１１、及びインターネット１を介して送信することになるが、この部分は従来と同じであるからこれ以上述べない。
【００４３】
メイン・サーバ７は、携帯電話機３から会員ＩＤ及びチャネル番号を含むリクエストを受信すると、一旦記憶装置に格納する（ステップＳ３５）。そして、会員ＩＤをリクエストから抽出して、会員ＩＤで会員ＤＢ７１を検索し、受信エリアのエリアコードを取得する（ステップＳ３７）。会員ＤＢ７１に格納される情報の一例を図５に示す。図５の例では、会員ＩＤの欄５０１と、氏名の欄５０２と、年齢の欄５０３と、職業の欄５０４と、住所の欄５０５と、メールアドレスの欄５０６と、エリアコードの欄５０７と、視聴可能メディアの欄５０８と、使用している録画機器の欄５０９と、番組予告メール設定の欄５１０とが設けられている。これは一例であってより多くの情報を蓄積するようにしてもよいし、その一部のみとすることも可能である。ステップＳ３７では、エリアコードの欄５０７からエリアコードを読み出す。また、ステップＳ３７において住所や職業といった他の個人属性情報を読み出すような構成とすることも可能である。
【００４４】
次にエリアコードとチャネル番号と現在日時の情報を用いて、ＴＶ番組関連情報格納部７３から該当する番組関連情報を取得する（ステップＳ３９）。エリアコード及びチャネル番号にて視聴している放送局を特定し、現在日時により現在放送中の番組を特定するものである。但し、ステップＳ３７において他の個人属性情報を読み出した場合には、当該個人属性情報にさらにマッチした番組関連情報を取得するようにしても良い。この番組関連情報には、登場人物の情報や、番組で訪れた地域の情報、お店の情報、コマーシャルの情報等様々なものが考えられる。
【００４５】
そして取得した番組関連情報を含むＷｅｂページ・データを生成し、リクエストの送信元である携帯電話機３に送信する（ステップＳ４１）。なお、Ｗｅｂページ・データは、携帯電話機３のブラウザ３３２に合わせて生成される。但し、Ｗｅｂページ・データではなく他の形式のデータであってもよい。例えば、ＣＳＶ（Comma Separated Value）形式などの他の形式であってもよい。携帯電話機３のブラウザ３３２は、メイン・サーバ７から番組関連情報を含むＷｅｂページ・データを受信し、表示部に表示する（ステップＳ４３）。これにて、携帯電話機３のユーザは、チャネル選択又は変更入力を一回行うだけで、テレビジョン受像機５のリモート・コントロールを行うことができ、さらにメイン・サーバ７から視聴しているテレビ放送番組の番組関連情報を取得することができるようになる。
【００４６】
この番組関連情報から、番組に関連する商品等のショッピングを行う場合にはショッピング・サーバ１７にアクセスし、番組における投票やアンケート等に参加する場合には番組連携処理サーバ１９にアクセスし、番組に関連するファイルをダウンロードしたい場合にはダウンロード・サーバ１５にアクセスし、番組に関連する商品の広告を得たい場合には広告サーバ１３にアクセスしたりすることができるようになる。
【００４７】
なお、メイン・サーバ７は、アクセスログとして会員ＩＤ、日時、チャネル番号、エリアコード等をアクセスログＤＢ７５に登録する（ステップＳ４５）。アクセスログＤＢ７５に登録されるデータの一例を図６に示す。図６の例では、会員ＩＤの欄６０１と、日時の欄６０２と、チャネル番号の欄６０３と、エリアコードの欄６０４と、ユーザ属性の欄６０５とが設けられている。ユーザ属性を登録する例を示しているが、アクセスログＤＢ７５に登録せずとも会員ＩＤから会員ＤＢ７１から抽出することができる。また、日時はここではリクエストの受信日時を登録する。但し、リクエストに日時が含まれる場合には、その日時であってもよい。
【００４８】
アクセスログＤＢ７５に登録されたアクセスログは、後に説明するように番組予告メールを送るために用いられたり、例えば広告サーバ１３において視聴傾向を解析してより適切な広告を送付するように設定したりするために用いられる。また、ステップＳ４７に示すように、視聴率を計算するのにも用いられる。すなわち、所定の時刻に視聴しているチャネル又は番組をアクセスログにて特定し、その割合を計算すれば視聴率が計算できる。
【００４９】
一方、携帯電話機３のブラウザ３３２は、何らかの入力があるまで、定期的に又は不定期に、会員ＩＤ及びチャネル番号を含むリクエストを送信し（ステップＳ４９）、ステップＳ３５に移行する。この定期的又は不定期なリクエストの送信は、コントローラ３３１による制御であっても良いし、Ｗｅｂページ・データに含まれる設定にブラウザ３３２が従う場合もある。これにより、番組の流れに沿った番組関連情報を取得し、携帯電話機３の表示部に表示できるようになる。
【００５０】
次に、メイン・サーバ７がアクセスログＤＢ７５を用いて番組予告メールを送信するための処理を図７に示す。メイン・サーバ７は、会員ＩＤでアクセスログＤＢ７５のアクセスログを検索して、特定の会員が視聴している番組毎の頻度データを取得する（ステップＳ７１）。これは登録されたチャネル番号の時間遷移と番組表とを用いれば視聴した番組を特定できるので、各番組について視聴頻度を計数する。そして、上位にランクされた視聴番組を、当該会員の好みの番組であるとして、会員ＤＢ７１の番組予告メール設定の欄５１０に登録する（ステップＳ７３）。
【００５１】
このように番組予告メール設定の欄５１０に番組が登録されると、当該番組の放送開始時刻より前に、当該登録番組のお知らせメールを生成し、会員宛に送信する（ステップＳ７５）。お知らせメールの内容は、例えば今回の番組内容の予告であってもよいし、例えば特番がある場合にはそのお知らせであったり、放送時間の変更があれば変更をお知らせするメールであってもよい。なお、例えば特定の番組の放送開始時刻所定時間前に会員ＤＢ７１を検索して、当該番組が番組予告メール設定の欄５１０に登録されている会員を抽出し、会員ＤＢ７１のメールアドレスの欄５０６に登録されたメールアドレス宛にお知らせメールを送信すればよい。携帯電話機３は、例えば自分のメール・ボックスから登録番組のお知らせメールを受信し、表示部に表示する（ステップＳ７７）。
【００５２】
このようなメールを受け取ることにより、ユーザの番組視聴を促進すると共に、番組関連の広告を含めることにより広告効果も促進される。
【００５３】
次に、図３のステップＳ１７の処理について図８を用いて説明する。携帯電話機３のコントローラ３３１は、テレビジョン受像機５の電源オフを指示する入力に応じて、会員ＩＤ及び電源オフに係る情報を含むリクエストを所定のドメイン名のサーバ（本実施の形態におけるメイン・サーバ７）に送信するようにブラウザ３３２に指示する（ステップＳ５１）。ブラウザ３３２は、コントローラ３３１から指示を受けると、会員ＩＤ及び電源オフに係る情報を含むリクエストを所定のドメイン名のサーバに送信する（ステップＳ５３）。
【００５４】
これに対してメイン・サーバ７は、会員ＩＤ及び電源オフに係る情報を含むリクエストを受信し、一旦記憶装置に格納する（ステップＳ５５）。そして、リクエストに含まれる会員ＩＤでアクセスログＤＢ７５のアクセスログを検索し、本日の視聴履歴情報を取得する（ステップＳ５７）。すなわち、視聴履歴情報は、チャネル番号の時間遷移の情報である。これには番組名などを含めることができる。そして、例えばＴＶ番組関連情報格納部７３に登録されている視聴履歴情報に関連する広告などの付随情報を合わせて取得する（ステップＳ５９）。そして、視聴履歴及び関連情報を含むＷｅｂページ・データを生成し、携帯電話機３に送信する（ステップＳ６１）。Ｗｅｂページ・データは、携帯電話機３のブラウザ３３２が処理できるような記述言語が用いられる。
【００５５】
携帯電話機３は、メイン・サーバ７から視聴履歴及び関連情報を含むＷｅｂページ・データを受信し、表示部に表示する（ステップＳ６５）。これにより、ユーザは本日の視聴履歴を見ると共に関連情報も取得でき、視聴した番組のことを思い出したり、次回の予告を見ることもできる。さらに番組関連の広告を見れば購買意欲を喚起させることもできる。
【００５６】
なお、ユーザがさらに指示すれば、視聴履歴及び関連情報を携帯電話機３に登録しておくことも可能である。また、ユーザがさらに指示すれば、指定のＵＲＬにアクセスして、さらに他の情報を得ることができる（ステップＳ６７）。
【００５７】
一方メイン・サーバ７は、アクセスログとして、会員ＩＤ、日時及び電源オフの情報等をアクセスログＤＢ７５に登録する（ステップＳ６３）。これにて、どの番組を最後に電源をオフしたかを後に判断することもできるようになる。
【００５８】
上の説明では会員登録を前提とした処理を説明したが、これは会員の属性情報に基づいて番組関連情報を提供したり、放送エリアを特定するためであった。しかし、ブラウザ３３２から送信する情報に位置情報を含めれば、会員ＤＢ７１に登録されているエリアコードを用いずに番組関連情報を取得できるようになる。会員ＤＢ７１に登録されているエリアコードを用いる場合には、自宅でテレビ放送番組を見ることが想定されるが、位置情報が合わせて送信されれば、例えば自宅以外のテレビジョン受像機５を見ている場合にも同じようなサービスをメイン・サーバ７等から受けることができるようになる。
【００５９】
また、会員ＩＤの代わりに位置情報を含めるような構成も可能である。これは会員登録を前提としないものである。会員登録を行わない場合には、登録属性情報を用いた番組関連情報の抽出ができなくなるが、単純に番組に関連する情報であればＴＶ番組関連情報格納部７３から抽出することができる。
【００６０】
従って、例えば図３のステップＳ９を図４のような処理とするのではなく、図９のような処理として実行する場合もある。携帯電話機３のコントローラ３３１は、チャネル番号選択又は変更の指示入力に応じて、地域情報（又は位置情報）及びチャネル番号を含むリクエストを所定のドメイン名のサーバ（メイン・サーバ７）に送信するように、ブラウザ３３２に指示する（ステップＳ８１）。地域情報については、例えば予めコントローラ３３１に登録するような構成であってもよいし、例えば図３のステップＳ１でコントローラ３３１が起動した後に直ぐに入力を求めるようにしても良い。
【００６１】
ブラウザ３３２は、地域情報及びチャネル番号を含むリクエストを所定のドメイン名のサーバに送信する（ステップＳ８３）。メイン・サーバ７は、携帯電話機３から地域情報及びチャネル番号を含むリクエストを受信し、一旦記憶装置に格納する（ステップＳ８５）。そして、地域情報、チャネル番号、現日時の情報を用いて、該当する番組を特定し、当該番組に関連する情報をＴＶ番組関連情報格納部７３から取得する（ステップＳ８７）。そして、取得された番組関連情報を含むＷｅｂページ・データを生成し、携帯電話機３に送信する（ステップＳ８９）。携帯電話機３は、メイン・サーバ７から番組関連情報を含むＷｅｂページ・データを受信し、表示部に表示する（ステップＳ９１）。メイン・サーバ７は、アクセスログとして地域情報、チャネル番号、日時等を登録する（ステップＳ９３）。
【００６２】
このような構成であっても、ユーザは携帯電話機３で、テレビジョン受像機５のリモート・コントロールを行うと共に、番組に関連する情報を取得することができる。但し、番組関連情報は、ユーザにカスタマイズされたものではなく、一般的な内容になってしまう。また、アクセスログＤＢ７５に登録されるデータでは視聴率計算がしにくくなる。但し、会員ＩＤではなく、他のユーザ識別情報が取得できれば視聴率計算なども先に述べたような方法にて簡単に計算できるようになる。
【００６３】
以上本発明の一実施の形態を説明したが、本発明はこれに限定されるものではない。例えば上では携帯電話機を前提として説明したが、ＰＤＡや他の携帯端末であってもよい。場合によってはノート型ＰＣなどの場合もある。また、図３の説明では電源投入の指示入力があった場合にチャネル番号入力を促すようになっていたが、例えばコントローラ３３１にチャネル番号の履歴を蓄積しておき、直前のチャネル番号を用いて、ブラウザ３３２に当該直前のチャネル番号でメイン・サーバ７にアクセスさせるような構成であってもよい。
【００６４】
また、図３の処理フローでは、チャネル選択又は変更入力の場合には必ずステップＳ５乃至ステップＳ９を実行するような構成としているが、例えばステップＳ１３を通過したか否かを判断して、もしステップＳ１３を通過している場合にはステップＳ５及びステップＳ７を実行させないようにする構成であってもよい。
【００６５】
なお、図１に示したサーバは、１台のコンピュータで機能するようにしてもよいし、複数台のコンピュータで機能するようにしてもよい。
【００６６】
また、図３において、最初にチャネル選択又は変更入力を判断しているが、最初に電源オンの指示入力か否かを判断するような構成とすることも可能である。また、最初の入力がチャネル選択でなければ、必ずチャネル選択入力を行うように促すような構成であってもよい。
【００６７】
（付記１）
携帯端末であって、
ユーザによるテレビ放送チャネル番号選択のためのボタンの押下に直接応答して、前記携帯端末に対する情報送信機能を有しないテレビジョン受像機に対して前記テレビ放送チャネルの選局に関する無線信号を送信する手段と、
前記ユーザによるテレビ放送チャネル番号選択のためのボタンの押下に直接応答して、ユーザ識別情報と選択された前記テレビ放送チャネルの情報とを含む番組関連情報取得要求を、所定のサーバに対して送信する手段と、
前記ユーザによるテレビ放送チャネル番号選択のためのボタンの押下に対する応答の結果として、前記所定のサーバから番組関連情報を受信した場合、当該番組関連情報を表示装置に表示する手段と、
を有する携帯端末。
【００６８】
（付記２）
携帯端末であって、
ユーザによるテレビ放送チャネル番号選択のためのボタンの押下に直接応答して、前記携帯端末に対する情報送信機能を有しないテレビジョン受像機に対して前記テレビ放送チャネルの選局に関する無線信号を送信する手段と、
前記ユーザによるテレビ放送チャネル番号選択のためのボタンの押下に直接応答して、現在位置に関する情報と選択された前記テレビ放送チャネルの情報とを含む番組関連情報取得要求を、所定のサーバに対して送信する手段と、
前記ユーザによるテレビ放送チャネル番号選択のためのボタンの押下に対する応答の結果として、前記所定のサーバから番組関連情報を受信した場合、当該番組関連情報を表示装置に表示する手段と、
を有する携帯端末。
【００６９】
（付記３）
ユーザによる前記テレビジョン受像機への電源投入指示に応じて、前記テレビジョン受像機に対して前記電源投入指示に関する無線信号を送信する手段と、
前記電源投入指示に応じて、テレビ放送チャネル選択入力を促す表示を行う手段と、
をさらに有する付記１又は２記載の携帯端末。
【００７０】
（付記４）
ユーザによる前記テレビジョン受像機の電源断指示に応じて、前記テレビジョン受像機に対して前記電源断指示に関する無線信号を送信する手段と、
前記電源断指示に応じて、ユーザ識別情報と前記電源断の情報とを、前記所定のサーバに送信する手段と、
をさらに有する付記１乃至３のいずれか１つ記載の携帯端末。
【００７１】
（付記５）
前記番組関連情報取得要求に、現在位置に関する情報を含むことを特徴とする付記１記載の携帯端末。
【００７２】
（付記６）
携帯端末に命令を実行させるためのプログラムであって、
ユーザによるテレビ放送チャネル番号選択のためのボタンの押下に直接応答して、前記携帯端末に対する情報送信機能を有しないテレビジョン受像機に対する前記テレビ放送チャネルの選局に関する無線信号を無線信号送信部に送信させるステップと、
前記ユーザによるテレビ放送チャネル番号選択のためのボタンの押下に直接応答して、ユーザ識別情報と選択された前記テレビ放送チャネルの情報とを含むリクエストを、ブラウザに所定のサーバへ送信させるステップと、
を実行させるためのプログラム。
【００７３】
（付記７）
携帯端末に命令を実行させるためのプログラムであって、
ユーザによるテレビ放送チャネル番号選択のためのボタンの押下に直接応答して、前記携帯端末に対する情報送信機能を有しないテレビジョン受像機に対する前記テレビ放送チャネルの選局に関する無線信号を無線信号送信部に送信させるステップと、
前記ユーザによるテレビ放送チャネル番号選択のためのボタンの押下に直接応答して、現在位置に関する情報と選択された前記テレビ放送チャネルの情報とを含むリクエストを、ブラウザに所定のサーバへ送信させるステップと、
を実行させるためのプログラム。
【００７４】
（付記８）
ユーザによる前記テレビジョン受像機への電源投入指示に応じて、前記テレビジョン受像機に対して前記電源投入指示に関する無線信号を送信させるステップと、
前記電源投入指示に応じて、テレビ放送チャネル選択入力を促す表示を行わせるステップと
をさらに実行させる、付記６又は７記載のプログラム。
【００７５】
（付記９）
携帯端末に命令を実行させるためのプログラムであって、ユーザによるテレビ放送チャネル番号選択のためのボタンの押下に直接応答して、前記携帯端末に対する情報送信機能を有しないテレビジョン受像機に対する前記テレビ放送チャネルの選局に関する無線信号を無線信号送信部に送信させるステップと、前記ユーザによるテレビ放送チャネル番号選択のためのボタンの押下に直接応答して、ユーザ識別情報と選択された前記テレビ放送チャネルの情報とを含むリクエストを、ブラウザに所定のサーバへ送信させるステップとを前記携帯端末に実行させるためのプログラムを格納するプログラム格納装置と、
前記携帯端末からの要求に応じて、前記プログラム格納装置に格納されている前記プログラムを、前記携帯端末に送信する手段と、
前記プログラムをダウンロードし実行している携帯端末からユーザ識別情報とテレビ放送チャネルの情報とを含む番組関連情報取得要求を受信した場合には、ユーザ識別情報を用いて予め登録された放送エリアの情報を記憶装置から取得する手段と、
取得された前記放送エリアの情報を用いて、前記テレビ放送チャネルにおいて放送中の番組に関連する情報を記憶装置から取得する手段と、
前記テレビ放送チャネルにおいて放送中の番組に関連する情報を、前記携帯端末に送信する手段と、
を有する番組関連情報提供システム。
【００７６】
（付記１０）
携帯端末に命令を実行させるためのプログラムであって、ユーザによるテレビ放送チャネル番号選択のためのボタンの押下に直接応答して、前記携帯端末に対する情報送信機能を有しないテレビジョン受像機に対する前記テレビ放送チャネルの選局に関する無線信号を無線信号送信部に送信させるステップと、前記ユーザによるテレビ放送チャネル番号選択のためのボタンの押下に直接応答して、現在位置に関する情報と選択された前記テレビ放送チャネルの情報とを含むリクエストを、ブラウザに所定のサーバへ送信させるステップとを前記携帯端末に実行させるためのプログラムを格納するプログラム格納装置と、
前記携帯端末からの要求に応じて、前記プログラム格納装置に格納されている前記プログラムを、前記携帯端末に送信する手段と、
前記プログラムをダウンロードし実行している携帯端末から当該携帯端末の現在位置の情報とテレビ放送チャネルの情報とを含む番組関連情報取得要求を受信した場合には、前記携帯端末の現在位置の情報を用いて、前記テレビ放送チャネルにおいて放送中の番組に関連する情報を記憶装置から取得する手段と、
前記テレビ放送チャネルにおいて放送中の番組に関連する情報を、前記携帯端末に送信する手段と、
を有する番組関連情報提供システム。
【００７７】
（付記１１）
前記プログラムが、
ユーザによる前記テレビジョン受像機への電源投入指示に応じて、前記テレビジョン受像機に対して前記電源投入指示に関する無線信号を送信させるステップと、
前記電源投入指示に応じて、テレビ放送チャネル選択入力を促す表示を行わせるステップと
をさらに前記携帯端末に実行させる、付記９又は１０記載の番組関連情報提供システム。
【図面の簡単な説明】
【００７８】
【図１】本発明の一実施の形態に係るシステム概要図である。
【図２】本発明の一実施の形態に係る携帯電話機の機能ブロック図である。
【図３】本発明の一実施の形態に係る携帯電話機における処理フローを示す図である。
【図４】本発明の一実施の形態に係る携帯電話機及びメイン・サーバの処理フローを示す図である。
【図５】会員ＤＢに格納されるデータの一例を示す図である。
【図６】アクセスログＤＢに格納されるデータの一例を示す図である。
【図７】番組予告メールを送信するための処理フローを示す図である。
【図８】ＴＶオフが入力された場合の処理フローを示す図である。
【図９】携帯電話機から地域情報及びチャネル番号を送信する場合の処理フローを示す図である。
【符号の説明】
【００７９】
１  インターネット    ３  携帯電話機
５  テレビジョン受像機    ７  メイン・サーバ
９  無線基地局    １１  携帯電話ネットワーク
１３  広告サーバ    １５  ダウンロード・サーバ
１７  ショッピング・サーバ    １９  番組連携処理サーバ
７１  会員ＤＢ    ７３  ＴＶ番組関連情報格納部
７５  アクセスログＤＢ
３１  第１無線通信部    ３３  ソフトウエア
３５  第２無線通信部    ３７  入力部
３３１  コントローラ    ３３２  ブラウザ
【図１】
2006135957.tif 000003
【図２】
2006135957.tif 000004
【図３】
2006135957.tif 000005
【図４】
2006135957.tif 000006
【図５】
2006135957.tif 000007
【図６】
2006135957.tif 000008
【図７】
2006135957.tif 000009
【図８】
2006135957.tif 000010
【図９】
2006135957.tif 000011